(57)【要約】【課題】再生速度を変更して繰返し再生する無駄をなくし、再生時間の短縮を図り、ユーザに不快感を与えない光ディスク装置および光ディスクの再生方法を提供すること。【解決手段】ピックアップ３は、装着された光ディスク１に記録されている該光ディスクの情報を読み出す。光ディスクの情報には、ディスクの種類とその光ディスクにデータを記録した装置を識別する情報が含まれ、制御部５は、記録した装置が当該装置であるか否かを判定し、再生時の上限速度を決定する。また記憶部６には、光ディスクの種類ごとに、当該装置により記録可能な上限速度を予め記憶し、制御部５は、装着された光ディスクの記録可能な上限速度を参照し、再生時の上限速度を決定する。【選択図】図１
2006277814.tif 000002
【特許請求の範囲】
【請求項１】
光ディスクに記録されたデータを再生する光ディスク装置において、
装着された光ディスクを回転させるスピンドルモータと、
該スピンドルモータを駆動するモータ駆動部と、
該光ディスクに記録されている該光ディスクの情報を読み出すピックアップと、
該読み出した情報に基づき再生する上限速度を決定し、該上限速度以下にて該光ディスクの回転を制御し、該光ディスクに記録されたデータを再生させる制御部と、を備えることを特徴とする光ディスク装置。
【請求項２】
請求項１記載の光ディスク装置において、
光ディスクの種類ごとに、当該装置により記録可能な上限速度を予め定めて記憶する記憶部を有し、
前記制御部は、該記憶部に記憶した予め定めた上限速度を参照し、前記装着された光ディスクが当該装置で高速記録が可能であるか否かを判定し、該判定した結果に応じて前記上限速度を決定することを特徴とする光ディスク装置。
【請求項３】
請求項１記載の光ディスク装置において、
前記光ディスクの情報は、該光ディスクにデータを記録した装置を識別する情報を含み、
前記制御部は、該光ディスクにデータを記録した装置が当該装置であるか否かを判定し、該判定した結果に応じて前記上限速度を決定することを特徴とする光ディスク装置。
【請求項４】
光ディスクに記録されたデータを再生する光ディスク装置において、
装着された光ディスクを回転させるスピンドルモータと、
該スピンドルモータを駆動するモータ駆動部と、
該光ディスクに記録されている該光ディスクの記録可能な上限速度に関する情報と該光ディスクにデータを記録した装置を識別する情報とを読み出すピックアップと、
該光ディスクに記録されている上限速度が高速記録が可能であることを示し、かつ、該光ディスクにデータを記録した装置が当該装置である場合には、所定の高速度にて該光ディスクを回転させ記録されたデータを再生させる制御部と、を備えることを特徴とする光ディスク装置。
【請求項５】
光ディスクに記録されたデータを再生する光ディスク装置において、
装着された光ディスクを回転させるスピンドルモータと、
該スピンドルモータを駆動するモータ駆動部と、
光ディスクの種類ごとに、当該装置により記録可能な上限速度を予め定めて記憶する記憶部と、
装着された光ディスクに記録されている該光ディスクの種類に関する情報と該光ディスクにデータを記録した装置を識別する情報とを読み出すピックアップと、
上記記憶部を参照した結果上記装着された光ディスクが当該装置で高速記録が可能であることを示し、かつ、該光ディスクにデータを記録した装置が当該装置である場合には、所定の高速度にて該光ディスクを回転させ記録されたデータを再生させる制御部と、を備えることを特徴とする光ディスク装置。
【請求項６】
光ディスクから該光ディスクに記録されたデータを再生する光ディスクの再生方法において、
装着された光ディスクに記録されている該光ディスクの情報を読み出し、
該読み出した情報に基づき再生する上限速度を決定し、
該決定した上限速度以下にて該光ディスクを駆動し、該光ディスクに記録されたデータを再生することを特徴とする光ディスクの再生方法。
【請求項７】
請求項６記載の光ディスクの再生方法において、
光ディスクの種類ごとに、前記データを再生する装置により記録可能な上限速度を予め定めておき、
該予め定めた上限速度を参照し、前記装着された光ディスクが当該装置で高速記録が可能であるか否かを判定し、
該判定した結果に応じて前記上限速度を決定することを特徴とする光ディスクの再生方法。
【請求項８】
請求項６記載の光ディスクの再生方法において、
前記光ディスクの情報は、該光ディスクにデータを記録した装置を識別する情報を含み、
該光ディスクにデータを記録した装置が当該装置であるか否かを判定し、
該判定した結果に応じて前記上限速度を決定することを特徴とする光ディスクの再生方法。
【請求項９】
光ディスクから該光ディスクに記録されたデータを再生する光ディスクの再生方法において、
装着された光ディスクに記録されている該光ディスクの記録可能な上限速度に関する情報と該光ディスクにデータを記録した装置を識別する情報とを読み出し、
該光ディスクに記録されている上限速度が高速記録が可能であることを示し、かつ、該光ディスクにデータを記録した装置が当該装置である場合には、所定の高速度にて該光ディスクを回転させ、記録されているデータを再生することを特徴とする光ディスクの再生方法。
【請求項１０】
光ディスクから該光ディスクに記録されたデータを再生する光ディスクの再生方法において、
光ディスクの種類ごとに、前記データを再生する装置により記録可能な上限速度を予めテーブルに定めておき、
装着された光ディスクに記録されている該光ディスクの種類に関する情報と該光ディスクにデータを記録した装置を識別する情報とを読み出し、
上記テーブルを参照した結果上記装着された光ディスクが当該装置で高速記録が可能であることを示し、かつ、該光ディスクにデータを記録した装置が当該装置である場合には、所定の高速度にて該光ディスクを回転させ、記録されているデータを再生することを特徴とする光ディスクの再生方法。
【発明の詳細な説明】
【技術分野】
【０００１】
本発明は、光ディスクからデータを再生する場合に、再生品質劣化を防止する光ディスク装置及び光ディスクの再生方法に関する。
【背景技術】
【０００２】
近年、ＤＶＤ−Ｒなどの記録可能な光ディスクに対し、記録技術の向上により、記録速度が著しく高速化してきている。各ディスク媒体には、その種類・グレードにより、記録速度の最大値（メーカ推奨値）が定められ、それを目安に記録動作が行われる。一方光ディスクからの再生時の速度は、特に上限値（推奨値）は決められていない。
【０００３】
記録速度の高速化に伴い、再生速度の高速化が要求されている。通常性能の記録用ディスクを、無理に再生速度を上げて再生すると、エラーレートの増大など再生品質の悪化を招く。そのような場合、再生速度を下げて品質を回復させなければならない。
【０００４】
これに関し特許文献１には、光ディスクからデータを再生して、その再生品質が悪化した場合、再生速度を下げて再生する技術が記載される。すなわちそのデータ再生方法は、所定等角速度で回転する光ディスクに記録されたデータを再生する段階と、データ再生エラーの発生有無を検査する段階と、データ再生エラーが発生したと決定されれば、前記光ディスクの回転速度を前記所定の等角速度より低い等角速度に調整し、前記調整された等角速度で回転する前記光ディスクからデータを再生する段階とを含むものである。
【０００５】
【特許文献１】特開２００４−２８１０４１号公報
【発明の開示】
【発明が解決しようとする課題】
【０００６】
特許文献１等に示される従来技術は、ある速度で光ディスクから実際にデータを再生し、再生品質の劣化（エラー）を検知したら、再生速度を下げてデータを再度再生するものである。しかしこの方法だと、作業効率とユーザの使い勝手に課題を有する。
【０００７】
エラーを検知すると、速度を変更してその部分を含むデータを繰返し再生することになり、必ずしも再生時間の節約にならない。逆にエラーが全く検知されなかった場合、設定した再生速度にまだ高速化できる余裕があるのかも知れないからである。
【０００８】
また、繰り返し再生（リトライ再生）を行うと、再生品質が劣化して、エラーを引き起こす確率を高める懸念がある。さらに、作業中に途中で再生速度が切り替わることは、ユーザに対し不快感を与えることにもなる。
【０００９】
一方、再生しようとする光ディスクについて、予めその再生可能速度を正確に知ることは困難であった。なぜなら、記録可能ディスクの再生では、再生品質には記録時の条件も大きく影響するので、単にディスクの種類等では正確な判断はできなかった。
【００１０】
本発明の目的は、上記した課題に鑑み、再生速度を変更して繰返し再生する無駄をなくし、再生時間の短縮を図り、ユーザに不快感を与えない光ディスク装置および光ディスクの再生方法を提供することにある。
【課題を解決するための手段】
【００１１】
本発明による光ディスク装置は、装着された光ディスクを回転させるスピンドルモータと、スピンドルモータを駆動するモータ駆動部と、光ディスクに記録されている該光ディスクの情報を読み出すピックアップと、読み出した情報に基づき再生する上限速度を決定し、該上限速度以下にて光ディスクの回転を制御し、光ディスクに記録されたデータを再生させる制御部とを備える。
【００１２】
さらに、光ディスクの種類ごとに、当該装置により記録可能な上限速度を予め定めて記憶する記憶部を有し、前記制御部は、記憶部に記憶した予め定めた上限速度を参照し、装着された光ディスクが当該装置で高速記録が可能であるか否かを判定し、判定した結果に応じて上限速度を決定する。
【００１３】
また前記光ディスクの情報は、光ディスクにデータを記録した装置を識別する情報を含み、前記制御部は、光ディスクにデータを記録した装置が当該装置であるか否かを判定し、判定した結果に応じて上限速度を決定する。
【００１４】
本発明による光ディスクの再生方法は、装着された光ディスクに記録されている該光ディスクの情報を読み出し、読み出した情報に基づき再生する上限速度を決定し、決定した上限速度以下にて光ディスクを駆動し、光ディスクに記録されたデータを再生するものである。
【発明の効果】
【００１５】
本発明によれば、データの再生時間が短縮し、ユーザの使い勝手が向上する。
【発明を実施するための最良の形態】
【００１６】
図１は、本発明による光ディスク装置の一実施例を示すブロック図である。本実施例の装置は、装着された光ディスク１をスピンドルモータ２にて所定の回転速度で回転し、ピックアップ３にて光ディスク１にレーザ光を照射しその反射光を検出する。アナログリード部４は、ピックアップ３の検出信号から光ディスクの各種情報を読み出し、制御部５へ送る。フラッシュＲＯＭなどの記憶部６は、予め再生速度設定に関する判定条件をテーブルに格納している。制御部５は、アナログリード部４で読み取った情報を、記憶部６に記憶した条件を参照して再生速度の上限値を決定し、モータ駆動部７をその上限速度以下に制御する。すなわち、ディスクから得た情報と記憶部６に記憶した情報とにより、再生速度を安全な最高速度に設定するものである。本実施例の速度制御はＣＡＶ（Ｃｏｎｓｔａｎｔ  Ａｎｇｕｌａｒ  Ｖｅｌｏｃｉｔｙ）方式とするが、ＣＬＶ（Ｃｏｎｓｔａｎｔ  Ｌｉｎｅａｒ  Ｖｅｌｏｃｉｔｙ）方式でも良い。
【００１７】
アナログリード部４は、光ディスク１から各種情報を読み取る。その情報としては、例えば、（１）光ディスクの種類（ＤＶＤ＋Ｒ、ＤＶＤ−Ｒ、ＤＶＤ＋ＲＷ、ＤＶＤ−ＲＷ、ＤＶＤ−ＲＡＭなどの区別）、（２）その光ディスクの対応可能な記録速度、（３）光ディスクの製造メーカＩＤなどである。これらは、ディスクメーカにより製造時に記録されている。
【００１８】
さらにデータが記録済みの光ディスクには、（４）データを記録した光ディスク装置の種類（メーカＩＤ）や記録速度の情報が追加して記録される。
【００１９】
図２は、光ディスク上に記録されたディスク情報の領域を示す図であり、ＤＶＤ−Ｒの場合を示す。内周側から、記録情報領域１１、リードイン領域１２、データ記録領域１３、リードアウト領域１４の各領域が設けられる。そして記録情報領域１１には、記録装置のメーカＩＤ等の記録時の条件（上記情報（４））が、またリードイン領域１２には、ディスクメーカＩＤやディスクの種類等の情報（上記情報（１）〜（３））が記録されている。
【００２０】
ピックアップ３は、データ記録領域１３からデータを読み出す前に、この記録情報領域１１やリードイン領域１２から情報を読み出すことにより、迅速な再生速度制御が行える。
【００２１】
図３は、記憶部６に格納される判定条件の一例を示す図である。本実施例では、３通りの判定条件（ａ）（ｂ）（ｃ）を組み合わせて再生速度（倍速）の決定を行う。判定（ａ）では、光ディスクメーカ記載の対応記録速度（上記情報（２））を読み出し、高速記録可能であるか否かを判定する。判定（ｂ）では、読み出したディスクＩＤ等（上記情報（１）（３））を基に、そのディスク種類が自社の記録装置で高速記録可能であるか否かを判定する。その判断のために、予め各種ディスクについて、自社装置での高速記録特性（記録可能な上限速度）のデータを採取し、高速記録の可否を判別したデータベース（テーブル）を所有する。判定（ｃ）では、光ディスクから読み出した記録装置のメーカＩＤ等（上記情報（４））から、自社装置で記録したか否かを判定する。なお判定（ｂ）（ｃ）における自社装置による記録か否かの判定に関しては、さらに自社装置を機種別に限定して、同一機種で記録したか否か、あるいは同一装置で記録したか否かで判定することもできる。
【００２２】
このようにして、３通りの判定（ａ）（ｂ）（ｃ）を組み合わせ、図３のように再生速度を決定する。この例では、判定（ａ）と（ｃ）がともに「Ｙｅｓ」の場合、あるいは判定（ｂ）（ｃ）がともに「Ｙｅｓ」の場合、再生速度を高速（１２倍速）に設定し、他の組み合わせの場合は、１０倍速に制限して設定する。その理由は、記録装置が自社装置である場合（判定（ｃ）が「Ｙｅｓ」）は、そのディスクの高速記録特性を既に確認済みであり、よってこの判定に従えば高速再生しても再生品質が劣化する恐れは少ないからである。そして、ディスク媒体の情報による判定（ａ）よりも記録時の条件が反映されるので、確度が高い。他社装置で記録したものについてはその記録特性が必ずしも把握できないので、高速再生は行わない。
【００２３】
この判定条件の組み合わせは一例であり、また再生速度の制限値（１０倍速／１２倍速）もこれに限るものではなく、状況に応じて適宜設定すればよい。
【００２４】
また、記憶部６に格納される判定条件等は、装置製造時に初期値として設定するものであるが、その後の判定条件に変更が必要になった場合、フラッシュＲＯＭを書き換えることで内容の更新を行うこともできる。
【００２５】
図４は、本発明による光ディスクの再生方法のフローチャートの一例を示す図である。
【００２６】
光ディスク装置に光ディスク１が装着されると、ピックアップ３は、装着された光ディスク１のリードイン領域１２からその光ディスク１に関する媒体情報を読み取り、その媒体メーカや種類等を判別する（ステップＳ４１）。続いて光ディスク１の記録情報領域１１から、データ記録時の記録条件に関する情報を読み取る（Ｓ４２）。
【００２７】
読み取った媒体情報を、記憶部６に記憶した判定条件を参照して以下の判定を行う。まず判定（ａ）において、媒体情報からそのディスクが高速記録可能であるか否かを判定する（Ｓ４３）。判定（ａ）の結果が「Ｙｅｓ」であれば、判定（ｃ）に移り記録装置のメーカＩＤ等から、自社装置で記録したか否かを判定する（Ｓ４４）。判定（ｃ）の結果が「Ｙｅｓ」であれば、高速再生が可能と判断し、モータ駆動部７を所定の高速駆動に切り替えてデータの再生を開始する（Ｓ４６）。
【００２８】
上記判定（ａ）の結果が「Ｎｏ」であれば、判定（ｂ）に移り、そのディスクが自社の記録装置で高速記録可能であるか否かを判定する（Ｓ４５）。判定（ｂ）の結果が「Ｙｅｓ」であれば、前記判定（ｃ）を行う。上記判定（ｂ）または判定（ｃ）の結果が「Ｎｏ」であれば、速度を制限してデータの再生を開始する（Ｓ４７）。
【００２９】
本実施例によれば、装着された光ディスクの記録情報領域等から記録条件に関する情報を読み取り、装置に予め記憶している判定条件を参照してそのディスクの再生速度の上限値を設定するので、高速再生時の品質劣化の恐れが少ない。また、再生速度設定のやり直しが不要で、再生時間の短縮が図られる。そして、従来の繰り返し再生（リトライ再生）による再生品質の劣化、エラー確率の増加といった懸念も解消でき、再生品質を維持することができる。さらには、データ再生途中での速度切替がなく、ユーザに不快感を与えることがない。
【００３０】
本実施例で述べた判定条件は一例であり、記録条件として記録速度や記録データの種類など、再生時の品質に影響を与えるパラメータに着目して、それらを判定条件に加えることができることは言うまでもない。
【図面の簡単な説明】
【００３１】
【図１】本発明による光ディスク装置の一実施例を示すブロック図。
【図２】光ディスク上に記録されたディスク情報の領域を示す図。
【図３】記憶部６に格納される判定条件の一例を示す図。
【図４】本発明による光ディスクの再生方法のフローチャートの一例を示す図。
【符号の説明】
【００３２】
１…光ディスク、２…スピンドルモータ、３…ピックアップ、４…アナログリード、５…制御部、６…記録部、７…モータ駆動部。
【図１】
2006277814.tif 000003
【図２】
2006277814.tif 000004
【図３】
2006277814.tif 000005
【図４】
2006277814.tif 000006